(57)【要約】【課題】本発明は、乗客コンベアの移動手摺りのテンション調整に係わり、特に、稼動状態で移動手摺りの伸びによるテンション変化を検出して移動手摺りを適正なテンションに調整する乗客コンベア移動手摺りのテンション調整装置を提供する。【解決手段】無端状に配置され、その折返し走行路の傾斜直線下部から水平部へと移行する屈曲部に所定の押圧力を有して押しガイドが当接する乗客コンベア移動手摺りのテンション調整を、移動手摺りの曲線部に音響検出手段を設けるとともに、移動手摺り押しガイドを移動手摺り摺動面垂直方向に押しガイド移動手段を設けたことを特徴とする。【選択図】図１
2006008388.tif 000002
【特許請求の範囲】
【請求項１】
無端状に配置され、その折返し走行路の傾斜直線下部から水平部へと移行する屈曲部に所定の押圧力を有して押しガイドが当接する乗客コンベア移動手摺りのテンション調整装置において、
前記乗客コンベア移動手摺りの上部曲線部または下部曲線部に音響検出手段を備え、前記押しガイドを移動手摺り面鉛直方向に移動させる押しガイド移動手段を備えたことを特徴とする乗客コンベア移動手摺りテンション調整装置。
【請求項２】
無端状に配置され、その折返し走行路の傾斜直線下部から水平部へと移行する屈曲部に所定の押圧力を有して押しガイドが当接する乗客コンベア移動手摺りのテンション調整装置において、
前記乗客コンベア移動手摺りの上部曲線部または下部曲線部に振動検出手段を備え、
前記押しガイドを移動手摺り面鉛直方向に移動させる押しガイド移動手段を備えたことを特徴とする乗客コンベア移動手摺りテンション調整装置。
【請求項３】
請求項１記載の乗客コンベア移動手摺りテンション調整装置において、
前記音響検出手段は発生する音響の周波数および発生周期を計測する手段を備えたことを特徴とする乗客コンベア移動手摺りテンション調整装置。
【発明の詳細な説明】
【技術分野】
【０００１】
本発明は乗客コンベア移動手摺りのテンション調整装置に関する。
【背景技術】
【０００２】
テンション調整装置は、移動手摺り３折返し走行路の傾斜直線下部から水平部へと移行する屈曲部に設置され、前記移動手摺り３の背面に当接する弓形の押しガイド２と、図示しない乗客コンベアのフレームに取り付けられ、前記押しガイド２を上下に変位可能に支持し、押しガイド２に所定の押圧力を持たせて前記移動手摺り３背面に当接させる押しガイド支持部４とから構成されている。
【０００３】
また案内ローラ５，６は、押しガイド２の前後に位置する移動手摺り３の表面に当接し、移動手摺り３の走行を案内している。
【０００４】
そして、移動手摺り３に掛かるテンションが適正でなければ、移動手摺り３が円滑に走行しないため、作業員が指で移動手摺り３を押してテンションを測定し、調整を行っていたなどの状況が挙げられる。
【０００５】
従来の移動手摺りのテンション調整装置を用いたテンション調整方法によれば、各作業員の勘に頼るところが大きく、定量的な測定を行っていないため、適正なテンション調整ができなかった。よってテンションが高すぎたなら、走行抵抗が過大となり移動手摺りがその走行を駆動している駆動ローラに対してスリップしたり、テンションが低すぎたなら、移動手摺りがその走行をガイドしているガイドレールから外れるという不具合が発生する場合があった。
【０００６】
さらに上記不都合を鑑みてなされたものとして特許文献１があげられ、これによれば、移動手摺りテンションを精度良く適正値に調整可能とする乗客コンベア移動手摺りのテンション調整装置を提供するため、前記押しガイドに貫通穴を設けるとともに、その貫通穴へ挿入され、かつ前記移動手摺りの背面に当接し、この移動手摺りのテンションを測定するテンションゲージを設けたことにより移動手摺りテンションを精度良く適正値に調整することが可能であった。
【特許文献１】特開昭６０−１０６７８６号公報
【特許文献２】特開２０００−１５９４６７公報
【発明の開示】
【発明が解決しようとする課題】
【０００７】
しかし、従来の移動手摺りのテンション調整を適正に行う手段によれば、定期的に行われる保全点検作業時においてテンションゲージを使用し作業員の定量的な測定を行うことで適正なテンション調整ができるが、温度変化や走行抵抗の変動による移動手摺りの伸びまたは経年的な移動手摺りの伸びが発生した場合に曲線部においてテンションの緩みが発生し、移動手摺りがその走行をガイドしているガイドレール部でノッキング現象が起こり、移動手摺りの緩み側曲線部で振動現象が発生するという不具合が発生する場合があった。
【０００８】
本発明は上記不都合を鑑みてなされたもので、その目的は移動手摺りの伸縮を発生させる要因があっても、そのテンション状態の変化に応じて移動手摺りテンションを適正値に調整可能とする乗客コンベア移動手摺りのテンション調整装置を提供することにある。
【課題を解決するための手段】
【０００９】
本発明は上記目的を達成するために、無端状に配置され、その折返し走行路の傾斜直線下部から水平部へと移行する屈曲部に所定の押圧力を有して押しガイドが当接する乗客コンベア移動手摺りのテンション調整装置において、前記曲線部に音響検出手段を設けるとともに、移動手摺り押しガイドを移動手摺り摺動面垂直方向に押しガイド移動手段を設けたことを特徴とする。
【００１０】
本発明によれば上記のようにテンション調整装置を構成したため、移動手摺りが伸びた場合に移動手摺りのテンションが緩むとノッキング運転が発生し、曲線部での振動が発生する。この振動による発生音を音響検出手段により検出し、移動手摺り押しガイドをテンションを張る方向に移動し、曲線部でのガタ曲線部の異常音がなくなるように移動することで適正なテンションへ調整可能である。
【００１１】
また本発明では前記移動手摺りのテンションを振動検出手段によりテンション緩みを検出し、移動手摺り押しガイドを張る方向に移動し曲線部の異常音がなくなるように移動することで適正なテンションへ調整可能である。
【００１２】
また本発明では前記移動手摺りのテンション変化を検出する音響検出手段において、移動手摺り帆布面が曲線部のガイドをこすれ合う摺動音を、前記音響検出手段において発生する音響の周波数と発生周期を計測する手段により検出することを特徴とした。この方法とすることで移動手摺りのテンションが大きくなった場合に摺動音が大きくなり、この摺動音の大きさの変化でテンションの変化を検出し、移動手摺り押しガイドを曲線部の異常音がなくなるように緩む方向に移動することで適正なテンションへ調整可能である。
【発明の効果】
【００１３】
請求項１による効果としては、従来の保守点検時に移動手摺りのテンション調整をする場合にステップ取り外し等の時間を含めて乗客コンベアを約３０分停止していたが、停止することなくテンションを調整することが可能である。
【００１４】
請求項２による効果としては、請求項１同様に従来の保守点検時に移動手摺りのテンション調整をする場合にステップ取り外しや乗客コンベアを停止していたものが停止することなくテンションを調整することが可能である。
【００１５】
請求項３による効果としては、移動手摺りのテンションが大きくなった場合でも摺動音の大きさによりテンション変化を検出できるため移動手摺りのテンションをより適正に調整することができる。
【発明を実施するための最良の形態】
【００１６】
本発明の乗客コンベア移動手摺りのテンション調整装置の実施形態を、図１，図２を用いて説明する。図１は本発明の実施形態である乗客コンベア移動手摺りのテンション調整装置の乗客コンベアのシステム概略図、図２は本発明の実施形態である乗客コンベア移動手摺りのテンション調整手段の構成を示した図である。
【００１７】
図３は本発明の実施形態である乗客コンベア移動手摺りの別のテンション調整手段の構成を示した図である。
【００１８】
本発明の乗客コンベア移動手摺りのテンション調整装置は図１に示すように、無端状に配置され、その折返し走行路の傾斜直線下部から水平部へと移行する屈曲部に所定の押圧力を有して押しガイドが当接する乗客コンベア移動手摺りのテンション調整装置において、
乗客コンベアの移動手摺り２２の上部曲線部または下部曲線部で発生する音響を検出する音響検出手段１ａ，１ｂを備え、前記押しガイド２４を移動手摺り２２の平面垂直方向または上下方向に移動させるように押しガイド移動手段３を構成してある。
【００１９】
また、本発明の乗客コンベア移動手摺りの調整装置は、無端状に配置され、その折返し走行路の傾斜直線下部から水平部へと移行する屈曲部に所定の押圧力を有して押しガイドが当接する乗客コンベア移動手摺りのテンション調整装置において、
前記乗客コンベア移動手摺り２２の上部曲線部または下部曲線部に振動検出手段４ａ，４ｂを備え、移動手摺り２２が伸びた場合にテンションの緩みが発生し、これによりノッキング運転状態となると上部曲線部および下部曲線部に振動が発生して、これにより発生する振動を前記振動検出手段４ａ，４ｂで検出し、振動が発生した場合に前記移動手摺り押しガイド移動手段３にて前記押しガイド２４を移動手摺り２２のテンションが大きくなる方向に前記押しガイド２４を移動させることにより、乗客コンベア移動手摺りテンションを調整装置するように構成した。
【００２０】
また、前記音響検出手段１ａは発生する音響の周波数および発生周期を計測する手段を備えたことを特徴とする乗客コンベア移動手摺りテンション調整装置。
【図面の簡単な説明】
【００２１】
【図１】本発明の実施形態である乗客コンベア移動手摺りのテンション調整装置の乗客コンベアのシステム概略図である。
【図２】本発明の実施形態である乗客コンベア移動手摺りのテンション調整手段の構成を示した図である。
【図３】本発明の実施形態である乗客コンベア移動手摺りの別のテンション調整手段の構成を示した図である。
【図４】音響検出手段および振動検出手段の測定手段を示す図である。
【図５】押しガイド移動手段の実施形態を示す図である。
【図６】振動発生時の発生音響の測定例を示す図である。
【符号の説明】
【００２２】
１ａ  音響検出手段（上部）  
２ｂ  音響検出手段（下部）
３  移動手摺り押しガイド移動手段
５  音響測定手段
２２  移動手摺り
２４  移動手摺り押しガイド
【図１】
2006008388.tif 000003
【図２】
2006008388.tif 000004
【図３】
2006008388.tif 000005
【図４】
2006008388.tif 000006
【図５】
2006008388.tif 000007
【図６】
2006008388.tif 000008